(57)【要約】【課題】立壁に生じる局所的な応力がより低減されやすい新規な構成の電子機器の筐体を得る。【解決手段】筐体２は、後壁１２（外壁）と、後壁１２からＸ方向（第一方向）に突出し、かつＺ方向（第二方向）に延びた立壁１３ｂ（第一立壁）と、を備え、立壁１３ｂには、Ｘ方向に開放された凹部１３ｒと、凹部１３ｒと当該立壁１３ｂにおけるＺ方向の端部１３ｂ１との間に位置され、Ｘ方向に開放され凹部１３ｒよりもＸ方向の深さが浅いスリット１３ｓと、が設けられる。【選択図】図４
2020095525.tif 000002
【特許請求の範囲】
【請求項１】
外壁と、
前記外壁から当該外壁と交差した第一方向に突出し、かつ前記第一方向と交差した第二方向に延びた第一立壁と、
を備え、
前記第一立壁には、
前記第一方向に開放された凹部と、
前記凹部と当該第一立壁における前記第二方向の端部との間に位置され、前記第一方向に開放され前記凹部よりも前記第一方向の深さが浅いスリットと、
が設けられた、電子機器の筐体。
【請求項２】
前記外壁は、前記第二方向に延びた第一端辺を有し、
前記第一立壁は、前記第一端辺に設けられ、前記凹部から当該筐体の内部部品が露出した、請求項１に記載の電子機器の筐体。
【請求項３】
前記外壁は、前記第一端辺と交差し、前記第一立壁とは別の第二立壁が設けられた第二端辺を有し、
前記スリットは、前記凹部と前記端部としての前記第一端辺と前記第二端辺との間の角部との間に位置された、請求項２に記載の電子機器の筐体。
【請求項４】
前記第一立壁には、前記第二方向に互いに間隔をあけて複数の前記スリットが設けられた、請求項１〜３のうちいずれか一つに記載の電子機器の筐体。
【請求項５】
前記外壁から前記第一方向に突出し、前記第一立壁と接続された接続部を有したリブを備え、
前記スリットは、前記接続部と前記第二方向にずれて位置された、請求項１〜４のうちいずれか一つに記載の電子機器の筐体。
【請求項６】
前記第一立壁には、前記外壁を覆うカバー部材に設けられた第一引掛部と着脱可能に引っ掛かる第二引掛部が設けられ、
前記スリットは、前記第二引掛部と前記第二方向にずれて位置された、請求項１〜５のうちいずれか一つに記載の電子機器の筐体。
【請求項７】
前記スリットの前記第一方向の深さは、前記第一立壁の前記第一方向の高さの８０パーセント以上９０パーセント以下である、請求項１〜６のうちいずれか一つに記載の電子機器の筐体。
【発明の詳細な説明】
【技術分野】
【０００１】
本発明は、電子機器の筐体に関する。
【背景技術】
【０００２】
従来、外壁と、外壁から当該外壁と交差した第一方向に突出した立壁と、を備え、立壁に第一方向に開放された凹部が設けられた、電子機器の筐体が知られている（例えば、特許文献１参照）。
【先行技術文献】
【特許文献】
【０００３】
【特許文献１】特開２０１７−０５５２７１号公報
【発明の概要】
【発明が解決しようとする課題】
【０００４】
この種の電子機器の筐体では、例えば、立壁に生じる局所的な応力がより低減されやすい新規な構成が得られれば、有益である。
【０００５】
そこで、本発明の課題の一つは、立壁に生じる局所的な応力がより低減されやすい新規な構成の電子機器の筐体を得ることである。
【課題を解決するための手段】
【０００６】
本発明の第一態様にかかる電子機器の筐体は、外壁と、前記外壁から当該外壁と交差した第一方向に突出し、かつ前記第一方向と交差した第二方向に延びた第一立壁と、を備え、前記第一立壁には、前記第一方向に開放された凹部と、前記凹部と当該第一立壁における前記第二方向の端部との間に位置され、前記第一方向に開放され前記凹部よりも前記第一方向の深さが浅いスリットと、が設けられる。
【０００７】
このような構成によれば、例えば、第一立壁における第二方向の端部から荷重が入力された場合等に、スリットに応力が分散（吸収）されうる。よって、例えば、スリットが無い場合と比べて、第一立壁の凹部の周囲に生じる局所的な応力がより低減されやすい。また、例えば、スリットによって第一立壁の厚さや高さ等を増大することなく、筐体のスペックを略維持したまま堅牢性を高めることができる。
【０００８】
また、前記外壁は、前記第二方向に延びた第一端辺を有し、前記第一立壁は、前記第一端辺に設けられ、前記凹部から当該筐体の内部部品が露出する。
【０００９】
このような構成によれば、例えば、第一端辺に設けられ内部部品が露出した第一立壁の凹部の周囲に生じる局所的な応力を、スリットによって低減することができる。
【００１０】
また、前記外壁は、前記第一端辺と交差し、前記第一立壁とは別の第二立壁が設けられた第二端辺を有し、前記スリットは、前記凹部と前記端部としての前記第一端辺と前記第二端辺との間の角部との間に位置される。
【００１１】
このような構成によれば、例えば、筐体が角部を下に落下した場合に第一立壁の凹部の周囲に生じる局所的な応力を、スリットによって低減することができる。
【００１２】
また、前記第一立壁には、前記第二方向に互いに間隔をあけて複数の前記スリットが設けられる。
【００１３】
このような構成によれば、例えば、スリットのそれぞれに応力が分散（吸収）されるため、第一立壁の凹部の周囲に生じる局所的な応力がより一層低減されやすい。
【００１４】
また、前記外壁から前記第一方向に突出し、前記第一立壁と接続された接続部を有したリブを備え、前記スリットは、前記接続部と前記第二方向にずれて位置される。
【００１５】
このような構成によれば、例えば、スリットに生じる応力によるリブへの影響が抑制されやすい。また、例えば、スリットの第一方向の深さが確保されやすく、ひいては第一立壁の凹部の周囲に生じる局所的な応力がより低減されやすい。
【００１６】
また、前記第一立壁には、前記外壁を覆うカバー部材に設けられた第一引掛部と着脱可能に引っ掛かる第二引掛部が設けられ、前記スリットは、前記第二引掛部と前記第二方向にずれて位置される。
【００１７】
このような構成によれば、例えば、リブと同様に、スリットに生じる応力による第二引掛部への影響が抑制されやすい。また、例えば、スリットの第一方向の深さが確保されやすく、ひいては第一立壁の凹部の周囲に生じる局所的な応力がより低減されやすい。
【００１８】
また、前記スリットの前記第一方向の深さは、前記第一立壁の前記第一方向の高さの８０パーセント以上９０パーセント以下である。
【００１９】
このような構成によれば、例えば、剛性の低下したスリットの底部に応力が分散（吸収）されやすくなり、ひいては第一立壁の凹部の周囲に生じる局所的な応力がより効果的に低減されやすい。
【発明の効果】
【００２０】
本発明の上記態様によれば、立壁に生じる局所的な応力がより低減されやすい新規な構成の電子機器の筐体を得ることができる。
【図面の簡単な説明】
【００２１】
【図１】図１は、実施形態の電子機器の正面側からの例示的な斜視図である。
【図２】図２は、実施形態の電子機器の正面側からの例示的な分解斜視図である。
【図３】図３は、図２のリヤカバーの角部の近傍の拡大図である。
【図４】図４は、図３のリヤカバーから内部部品が取り外された状態の図である。
【図５】図５は、図３のリヤカバーから内部部品が取り外された状態の図であって、図４とは異なる角度から見た図である。
【図６】図６は、実施形態の電子機器の筐体の角落下時における、スリットの深さと局所的な応力との関係が示されたグラフである。
【図７】図７は、実施形態の電子機器の筐体の角落下時における、スリットの深さと局所的な応力の減少率との関係が示されたグラフである。
【発明を実施するための形態】
【００２２】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００２３】
なお、本明細書では、序数は、部品や、部材、部位、位置、方向等を区別するためだけに用いられており、順番や優先度を示すものではない。
【００２４】
［実施形態］
図１は、電子機器１の正面側からの斜視図である。図２は、電子機器１の正面側からの分解斜視図である。なお、以下の説明では、便宜上、互いに直交する三方向が定義されている。Ｘ方向は、筐体２の厚さ（前後方向）に沿い、Ｙ方向は、筐体２の横幅（左右方向、短手方向）に沿い、Ｚ方向は、筐体２の縦幅（上下方向、長手方向）に沿う。また、以下の説明では、Ｘ方向は前方、Ｘ方向の反対方向は後方とも称され、Ｙ方向は左方、Ｙ方向の反対方向は右方とも称され、Ｚ方向は下方、Ｚ方向の反対方向は上方とも称される場合がある。
【００２５】
図１，２に示されるように、電子機器１は、例えば、タブレット型のパーソナルコンピュータとして構成されている。電子機器１は、筐体２と、ディスプレイユニット３と、基板４と、センサユニット５と、を備えている。
【００２６】
なお、電子機器１は、この例には限定されず、例えば、クラムシェル型（ノートブック型）のパーソナルコンピュータや、映像表示装置、テレビジョン受像機、ゲーム機、映像表示制御装置、情報記憶装置等であってもよい。
【００２７】
筐体２は、例えば、ディスプレイユニット３の表示画面３ａが露出する前面２ａと、前面２ａとは反対側を向いた後面２ｂと、を有する。ディスプレイユニット３は、表示画面３ａが前方から視認可能な状態に、筐体２に支持されている。また、前面２ａおよび表示画面３ａは、タッチパネル６の透明部によって覆われている。
【００２８】
基板４（図２参照）は、筐体２に収容されている。基板４には、ＣＰＵ（Central  Processing  Unit）や、ＲＯＭ（Read  Only  Memory）、ＲＡＭ（Random  Access  Memory）等の複数の電子部品が実装されている。基板４内の配線とこれら複数の電子部品とによって、電子機器１の制御回路の少なくとも一部が構成されている。
【００２９】
センサユニット５は、少なくとも一部が前面２ａから露出した状態で筐体２に収容されている。センサユニット５は、筐体２内において基板４とは反対側、すなわち筐体２の下端部２ｄの近くに位置されている。センサユニット５は、例えば、人体の静脈を検出する静脈認証用のセンサユニットである。
【００３０】
筐体２は、例えば、Ｘ方向に扁平な直方体状の箱型に構成されている。筐体２は、前壁１１や、後壁１２、左壁１３、下壁１４、右壁１５、上壁１６等の複数の壁部を有している。左壁１３、下壁１４、右壁１５、および上壁１６は、側壁や、周壁、立壁等とも称される。
【００３１】
前壁１１および後壁１２は、いずれも、Ｘ方向と直交する方向（ＹＺ平面）に沿って延びており、Ｘ方向に間隔をあけて互いに平行に設けられている。前壁１１は、前面２ａを含み、後壁１２は、後面２ｂを含む。前壁１１は、四角形状の枠状に構成され、後壁１２は、四角形状の板状に構成されている。前壁１１には、センサユニット５が露出する貫通孔１１ｃが設けられている。
【００３２】
左壁１３および右壁１５は、いずれも、Ｙ方向と直交する方向（ＸＺ平面）に沿って延びており、Ｙ方向に間隔をあけて互いに平行に設けられている。左壁１３は、前壁１１および後壁１２のＹ方向の端部の間に亘り、右壁１５は、前壁１１および後壁１２のＹ方向の反対方向の端部の間に亘っている。左壁１３および右壁１５は、それぞれ、筐体２の左端部２ｃおよび右端部２ｅを構成している。
【００３３】
下壁１４および上壁１６は、いずれも、Ｚ方向と直交する方向（ＸＹ平面）に沿って延びており、Ｚ方向に間隔をあけて互いに平行に設けられている。下壁１４は、前壁１１および後壁１２のＺ方向の端部の間に亘り、上壁１６は、前壁１１および後壁１２のＺ方向の反対方向の端部の間に亘っている。下壁１４および上壁１６は、それぞれ、筐体２の下端部２ｄおよび上端部２ｆを構成している。
【００３４】
また、筐体２には、四つの角部２ｇ〜２ｊが設けられている。角部２ｇは、左壁１３と下壁１４との交差部によって構成され、角部２ｈは、下壁１４と右壁１５との交差部によって構成されている。また、角部２ｉは、右壁１５と上壁１６との交差部によって構成され、角部２ｊは、上壁１６と左壁１３との交差部によって構成されている。各角部２ｇ〜２ｊは、角丸（角Ｒ）状に構成されている。
【００３５】
また、筐体２は、複数の部品（分割体）が組み合わせられて構成されている。具体的には、筐体２は、例えば、フロントカバー１８（図２参照）と、リヤカバー１９と、を有している。
【００３６】
フロントカバー１８は、前壁１１と、左壁１３、下壁１４、右壁１５、および上壁１６のそれぞれの一部（外側部分）を構成する複数の立壁１３ａ，１４ａ，１５ａ，１６ａと、を含む。リヤカバー１９は、後壁１２と、左壁１３、下壁１４、右壁１５、および上壁１６のそれぞれの一部（内側部分）を構成する複数の立壁１３ｂ，１４ｂ，１５ｂ，１６ｂと、を含む。
【００３７】
また、フロントカバー１８には、リヤカバー１９に設けられた開口部１３ｈと着脱可能に引っ掛かる爪部１３ｇが設けられている。爪部１３ｇは、フロントカバー１８の立壁１３ａ〜１６ａのそれぞれに設けられ、開口部１３ｈは、リヤカバー１９の立壁１３ｂ〜１６ｂのそれぞれに設けられている。なお、図２では、便宜上、立壁１３ａの爪部１３ｇ、および立壁１３ｂの開口部１３ｈ以外は図示省略されている。フロントカバー１８は、カバー部材の一例である。
【００３８】
開口部１３ｈ（図３，４参照）は、例えば、フロントカバー１８の立壁１３ａ（外側部分）から離れる方向に凹んだ凹溝である。フロントカバー１８とリヤカバー１９とは、爪部１３ｇと開口部１３ｈの縁部との係合による所謂スナップフィットによって互いに結合されている。爪部１３ｇは、第一引掛部の一例であり、開口部１３ｈは、第二引掛部の一例である。
【００３９】
なお、開口部１３ｈは、この例には限定されず、例えば、立壁１３ｂをＹ方向に貫通した貫通孔であってもよい。また、例えば、フロントカバー１８に開口部１３ｈが設けられ、リヤカバー１９に爪部１３ｇが設けられてもよい。
【００４０】
次に、リヤカバー１９についてより詳しく説明する。図３は、図２のリヤカバー１９の角部２ｇの近傍の拡大図である。図４は、図３のリヤカバー１９からコネクタ７等の内部部品が取り外された状態の図である。図５は、図３のリヤカバー１９から内部部品が取り外された状態の図であって、図４とは異なる角度から見た図である。
【００４１】
図３〜５に示されるように、リヤカバー１９の後壁１２には、上述した立壁１３ｂ，１４ｂや、立壁１２ａ，１２ｂ、リブ１２ｃ，１２ｄ（図５参照）、ボス部１２ｅ、仕切壁１２ｆ等が設けられている。立壁１３ｂ，１４ｂ，１２ａ，１２ｂ、リブ１２ｃ，１２ｄ、ボス部１２ｅ、および仕切壁１２ｆは、後壁１２からＸ方向に突出している。後壁１２は、外壁の一例であり、Ｘ方向は、第一方向の一例である。
【００４２】
立壁１３ｂは、後壁１２の左端部２ｃに設けられ、左端部２ｃに沿ってＺ方向に延びている。立壁１３ｂは、上述したように筐体２の左壁１３の一部（内側部分）を構成している。立壁１３ｂには、凹部１３ｒと、後述するスリット１３ｓと、が設けられている。立壁１３ｂは、第一立壁の一例である。また、Ｚ方向は、第二方向の一例であり、左端部２ｃは、第一端辺の一例である。
【００４３】
凹部１３ｒは、立壁１３ｂをＹ方向に貫通するとともに、Ｘ方向に開放されている。凹部１３ｒのＸ方向の深さＤ２（図５参照）は、立壁１３ｂのＸ方向の高さと略同じかあるいは僅かに小さい。凹部１３ｒには、周辺機器とのドッキング用のコネクタ７（図３参照）が収容されている。コネクタ７は、凹部１３ｒおよびフロントカバー１８に設けられた凹部１３ｔ（図２参照）を介して、左壁１３に露出している。コネクタ７は、内部部品の一例である。
【００４４】
立壁１４ｂは、後壁１２の下端部２ｄに設けられ、下端部２ｄに沿ってＹ方向に延びている。立壁１４ｂは、上述したように筐体２の下壁１４の一部（内側部分）を構成している。立壁１４ｂは、立壁１３ｂのＺ方向の端部１３ｂ１としての角部２ｇを介して立壁１３ｂと接続されている。立壁１４ｂは、第二立壁の一例であり、下端部２ｄは、第二端辺の一例である。
【００４５】
なお、リヤカバー１９の角部２ｇには、ゴム等の弾性部材２１（図２参照）が収容される凹部２ｒが設けられている。凹部２ｒは、Ｘ方向から見た場合に、筐体２の外側に向けて開放された略Ｕ字状に構成されている。弾性部材２１は、フロントカバー１８の角部２ｇとリヤカバー１９の角部２ｇとの間に介在されている。弾性部材２１は、クッション部材や、緩衝材等とも称される。
【００４６】
立壁１２ａ（図４参照）は、立壁１３ｂよりも左端部２ｃから離れて位置され、立壁１３ｂに沿って延びている。立壁１２ａには、Ｘ方向に開放された凹部１２ａ１が設けられている。立壁１２ｂは、立壁１４ｂよりも下端部２ｄから離れて位置され、立壁１４ｂに沿って延びている。立壁１２ｂは、交差部としての角部１２ｉを介して立壁１２ａと接続されている。
【００４７】
リブ１２ｃは、立壁１３ｂと立壁１４ｂとの間の角部２ｇの近くに設けられている。リブ１２ｃは、立壁１３ｂ，１４ｂに対して傾斜し、立壁１３ｂと立壁１４ｂとの間に亘るように延びている。後壁１２には、角部２ｇから筐体２の中心部に向かう方向に互いに間隔をあけて複数のリブ１２ｃが設けられている。二つのリブ１２ｃ（図５参照）は、それぞれ、立壁１３ｂと接続された接続部１２ｃ１を有している。接続部１２ｃ１は、端部等とも称される。
【００４８】
仕切壁１２ｆは、立壁１３ｂの内面における凹部１３ｒの周囲に設けられている。仕切壁１２ｆは、Ｘ方向から見た場合に、Ｙ方向に向けて開放された略Ｕ字状に構成され、立壁１３ｂと接続されている。仕切壁１２ｆは、コネクタ７が配置される空間とコネクタ７とは反対側の空間とに仕切っている。仕切壁１２ｆのＸ方向の高さは、ボス部１２ｅのＸ方向の高さと略同じであり、立壁１３ｂのＸ方向の高さよりも低い。
【００４９】
ボス部１２ｅは、立壁１３ｂと仕切壁１２ｆとの間に設けられている。ボス部１２ｅは、円筒状に構成されている。ボス部１２ｅの中心孔には、コネクタ７を固定する結合具の雄ネジ部と結合される雌ネジ部が設けられている。後壁１２には、Ｚ方向に互いに間隔をあけて二つのボス部１２ｅが設けられている。ボス部１２ｅは、凹部１３ｒとＺ方向またはＺ方向の反対方向にずれて位置されている。
【００５０】
リブ１２ｄは、立壁１３ｂとボス部１２ｅとの間に設けられ、立壁１３ｂおよびボス部１２ｅのそれぞれと接続されている。リブ１２ｄのＸ方向の高さは、ボス部１２ｅのＸ方向の高さよりも低い。リブ１２ｄは、凹部１３ｒの底部の近傍に位置されている。なお、ボス部１２ｅと仕切壁１２ｆとの間には、ボス部１２ｅおよび仕切壁１２ｆのそれぞれと接続された、リブ１２ｄとは別のリブが設けられている。
【００５１】
そして、立壁１３ｂの凹部１３ｒと角部２ｇとの間には、スリット１３ｓが設けられている。スリット１３ｓは、立壁１３ｂをＹ方向に貫通するとともに、Ｘ方向に開放されている。スリット１３ｓのＸ方向の深さＤ１（図５参照）は、凹部１３ｒのＸ方向の深さＤ２よりも浅い。また、スリット１３ｓのＺ方向の幅は、凹部１３ｒのＺ方向の幅よりも狭い。スリット１３ｓは、Ｚ方向に所定の幅を有し、Ｘ方向に細長く延びている。スリット１３ｓは、切欠部等とも称される。
【００５２】
また、立壁１３ｂには、Ｚ方向に互いに間隔をあけて複数のスリット１３ｓが設けられている。二つのスリット１３ｓは、それぞれ、リブ１２ｃの接続部１２ｃ１とＺ方向またはＺ方向の反対方向にずれて位置されている。言い換えると、接続部１２ｃ１は、二つのスリット１３ｓの間に位置されている。なお、スリット１３ｓの数は、二つには限定されず、例えば、一つや、三つ以上であってもよい。
【００５３】
また、図４に示されるように、スリット１３ｓは、それぞれ、スナップフィット用の開口部１３ｈともＺ方向にずれて位置されている。本実施形態では、複数のスリット１３ｓと複数の開口部１３ｈとが、立壁１３ｂ（Ｚ方向）に沿って交互に設けられている。また、本実施形態では、スリット１３ｓの深さＤ１（図５参照）は、立壁１３ｂのＸ方向の高さの約６０パーセントに設定されている。
【００５４】
図６は、筐体２の角落下時における、スリット１３ｓの深さＤ１と局所的な応力との関係が示されたグラフである。図７は、筐体２の角落下時における、スリット１３ｓの深さＤ１と局所的な応力の減少率との関係が示されたグラフである。図６，７の例には、筐体２が角部２ｇを下に落下した場合の、凹部１３ｒの周囲のリブ１２ｄ（図５参照）に生じた応力が示されている。立壁１３ｂのＸ方向の高さは、５ｍｍであり、凹部１３ｒと角部２ｇとの間のスリット１３ｓの数は、二つである。
【００５５】
図６，７に示される結果から、スリット１３ｓの深さＤ１は、３ｍｍ以上４．５ｍｍ以下、すなわち立壁１３ｂの高さの６０パーセント以上９０パーセント以下に設定するのが好ましいことが理解できよう。また、さらに好ましくは、４ｍｍ以上４．５ｍｍ以下、すなわち立壁１３ｂの高さの８０パーセント以上９０パーセント以下に設定するのが好ましいことが理解できよう。このような設定により、筐体２が角部２ｇを下に落下した場合にリブ１２ｄに生じる局所的な応力を、スリット１３ｓによってより効果的に低減することができる。
【００５６】
以上のように、本実施形態では、筐体２は、後壁１２（外壁）と、後壁１２からＸ方向（第一方向）に突出し、かつＺ方向（第二方向）に延びた立壁１３ｂ（第一立壁）と、を備え、立壁１３ｂには、Ｘ方向に開放された凹部１３ｒと、凹部１３ｒと立壁１３ｂにおけるＺ方向の端部１３ｂ１との間に位置され、Ｘ方向に開放され凹部１３ｒよりもＸ方向の深さＤ１が浅いスリット１３ｓと、が設けられる。
【００５７】
このような構成によれば、例えば、立壁１３ｂにおけるＺ方向の端部１３ｂ１から荷重が入力された場合等に、スリット１３ｓに応力が分散（吸収）されうる。よって、例えば、スリット１３ｓが無い場合と比べて、立壁１３ｂの凹部１３ｒの周囲に生じる局所的な応力がより低減されやすい。また、例えば、スリット１３ｓによって立壁１３ｂの厚さや高さ等を増大することなく、筐体２のスペックを略維持したまま堅牢性を高めることができる。
【００５８】
また、本実施形態では、後壁１２は、Ｚ方向に延びた左端部２ｃ（第一端辺）を有し、立壁１３ｂは、左端部２ｃに設けられ、凹部１３ｒから筐体２の内部部品としてのコネクタ７が露出している。
【００５９】
このような構成によれば、例えば、左端部２ｃに設けられコネクタ７が露出した立壁１３ｂの凹部１３ｒの周囲に生じる局所的な応力を、スリット１３ｓによって低減することができる。
【００６０】
また、本実施形態では、後壁１２は、左端部２ｃと交差し、立壁１３ｂとは別の立壁１４ｂ（第二立壁）が設けられた下端部２ｄ（第二端辺）を有し、スリット１３ｓは、凹部１３ｒと端部１３ｂ１としての左端部２ｃと下端部２ｄとの間の角部２ｇとの間に位置される。
【００６１】
このような構成によれば、例えば、筐体２が角部２ｇを下に落下した場合に立壁１３ｂの凹部１３ｒの周囲に生じる局所的な応力を、スリット１３ｓによって低減することができる。
【００６２】
また、本実施形態では、立壁１３ｂには、Ｚ方向に互いに間隔をあけて複数のスリット１３ｓが設けられる。
【００６３】
このような構成によれば、例えば、スリット１３ｓのそれぞれに応力が分散（吸収）されるため、立壁１３ｂの凹部１３ｒの周囲に生じる局所的な応力がより一層低減されやすい。
【００６４】
また、本実施形態では、筐体２は、後壁１２からＸ方向に突出し、立壁１３ｂと接続された接続部１２ｃ１を有したリブ１２ｃを備え、スリット１３ｓは、接続部１２ｃ１とＺ方向にずれて位置される。
【００６５】
このような構成によれば、例えば、スリット１３ｓに生じる応力によるリブ１２ｃへの影響が抑制されやすい。また、例えば、スリット１３ｓのＸ方向の深さが確保されやすく、ひいては立壁１３ｂの凹部１３ｒの周囲に生じる局所的な応力がより低減されやすい。
【００６６】
また、本実施形態では、立壁１３ｂには、後壁１２を覆うフロントカバー１８（カバー部材）に設けられた爪部１３ｇ（第一引掛部）と着脱可能に引っ掛かる開口部１３ｈ（第二引掛部）が設けられ、スリット１３ｓは、開口部１３ｈとＺ方向にずれて位置される。
【００６７】
このような構成によれば、例えば、リブ１２ｃと同様に、スリット１３ｓに生じる応力による開口部１３ｈへの影響が抑制されやすい。また、例えば、スリット１３ｓのＸ方向の深さが確保されやすく、ひいては立壁１３ｂの凹部１３ｒの周囲に生じる局所的な応力がより低減されやすい。
【００６８】
なお、本実施形態では、スリット１３ｓの深さＤ１が、立壁１３ｂのＸ方向の高さの約６０パーセントに設定された場合が例示されたが、この例には限定されず、例えば、８０パーセント以上９０パーセント以下に設定されてもよい。
【００６９】
このような構成によれば、例えば、剛性の低下したスリット１３ｓの底部に応力が分散（吸収）されやすくなるため、図６，７に示される結果からも明らかなように、立壁１３ｂの凹部１３ｒの周囲に生じる局所的な応力をより効果的に低減することができる。
【００７０】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【００７１】
例えば、スリットは、筐体の端辺に設けられた立壁には限定されず、端辺から離れた位置の立壁に設けられてもよい。
【符号の説明】
【００７２】
１…電子機器、２…筐体、２ｃ…左端部（第一端辺）、２ｄ…下端部（第二端辺）、２ｇ…角部、７…コネクタ（内部部品）、１２…後壁（外壁）、１２ｃ…リブ、１２ｃ１…接続部、１３ｂ…立壁（第一立壁）、１３ｂ１…端部、１３ｇ…爪部（第一引掛部）、１３ｈ…開口部（第二引掛部）、１３ｒ…凹部、１３ｓ…スリット、１４ｂ…立壁（第二立壁）、１８…フロントカバー（カバー部材）、Ｄ１…深さ（スリットの深さ）、Ｘ…第一方向、Ｚ…第二方向。
【図１】
2020095525.tif 000003
【図２】
2020095525.tif 000004
【図３】
2020095525.tif 000005
【図４】
2020095525.tif 000006
【図５】
2020095525.tif 000007
【図６】
2020095525.tif 000008
【図７】
2020095525.tif 000009